(57)【要約】【課題】ダイヤモンド及びその加工方法において、ダイヤモンドのカット量を少なくしつつ、パビリオンの反射率を格段に高める。【解決手段】入射する光を内部側で反射させる反射層５ａをパビリオン５の表面の少なくとも一部に形成したダイヤモンド１にする。好ましくは、カットによりパビリオン５のみを形成した半加工状態のダイヤモンドの全体に、入射する光を内部で反射させる反射層を形成した後、パビリオン５以外の部分を所望の形状にカットするようにダイヤモンド１を加工する。【選択図】図１
2007296194.tif 000002
【特許請求の範囲】
【請求項１】
入射する光を内部側で反射させる反射層をパビリオンの表面の少なくとも一部に形成したことを特徴とするダイヤモンド。
【請求項２】
前記反射層を前記パビリオンの表面の全部に形成したことを特徴とする請求項１に記載のダイヤモンド。
【請求項３】
前記反射層は、その原料に銀を含むことを特徴とする請求項１又は請求項２に記載のダイヤモンド。
【請求項４】
カットにより少なくともテーブル及びパビリオンからなるダイヤモンドを形成した後、前記パビリオンの表面の少なくとも一部に、入射する光を内部で反射させる反射層を形成することを特徴とする、ダイヤモンドの加工方法。
【請求項５】
前記反射層を前記パビリオンの表面の全部に形成することを特徴とする、請求項４に記載のダイヤモンドの加工方法。
【請求項６】
カットによりパビリオンのみを形成した半加工状態のダイヤモンドの全体に亘って、入射する光を内部で反射させる反射層を形成した後、前記パビリオン以外の部分を所望の形状にカットすることを特徴とする、ダイヤモンドの加工方法。
【請求項７】
前記反射層は、原料に銀を含むことを特徴とする、請求項４から請求項６のいずれか１項に記載のダイヤモンドの加工方法。
【発明の詳細な説明】
【技術分野】
【０００１】
本発明は、内部における反射率を高めたダイヤモンド及びその加工方法に関する。
【背景技術】
【０００２】
一般的に、ダイヤモンドの市場での価値は４Ｃと呼ばれる基準で評価される。この４Ｃとは、カット（Ｃｕｔ：形と仕上げ）、カラット（Ｃａｒａｔ：重さ）、カラー（Ｃｏｌｏｒ：色）、クラリティ（Ｃｌａｒｉｔｙ：透明度）のことである。
【０００３】
図３は、ダイヤモンドのカットの理想例を示す側面図である。ダイヤモンド１１は、上面のテーブル１２やクラウン１４から入射する光がガードル１３より下部のパビリオン１５で反射して返ってくることにより輝いて見える。一般的に、ダイヤモンドはカラーが無色に近いほど良い評価となり、黄色を帯びるごとに徐々に悪い評価となる。このため、輝きを追及してダイヤモンドを無色に近づけようとすると、同図に示す形状となるが、このようにカットすると原石からより多くの部分を削らなければならず、その結果、カラットが小さくなる。
【０００４】
図４は、ダイヤモンドに入射する光を示す模式図である。ダイヤモンド１１を理想的にカットして、同図（ａ）に示すようにテーブル１２から入射する光１６を、パビリオン１５においてテーブル１２側に全反射させようとしても、反射する光の量は、入射する光の量の約８０％程度となる。
【０００５】
また、カラット（重さ）を優先させてカット量を減らし、同図（ｂ）に示す底が深い形状や同図（ｃ）に示す底が浅い形状にカットすると、テーブル１２から入射する光１６がパビリオン１５等から逃げ、パビリオン１５においてテーブル１２側に反射される光はわずかとなってしまう。
【０００６】
ダイヤモンドの反射率を向上させる方法として、特許文献１では、以下のようなダイヤモンドの反射率向上方法が提案されている。即ち、この反射率向上方法は、ダイヤモンドを、圧力容器内において、超高圧で等方的に所定時間加圧することにより、上記ダイヤモンドの反射率を向上させるようにしている。
【特許文献１】特開平９−１６４３２９号公報
【発明の開示】
【発明が解決しようとする課題】
【０００７】
しかしながら、特許文献１の反射率向上方法は、超高圧で等方的に所定時間加圧する手法をとっているため、実際の作業は手間や時間のかかるものであった。また、この方法においてもダイヤモンドを理想の形状にカットする必要があるが、反射率を格段に高めることはできなかった。
【０００８】
本発明の課題は、上記従来の実情に鑑み、ダイヤモンドのカット量を少なくしても、パビリオンの反射率を格段に高めることのできるダイモンド及びその加工方法を提供することである。
【課題を解決するための手段】
【０００９】
上記課題を解決するために、本発明のダイヤモンドは、入射する光を内部側で反射させる反射層をパビリオンの表面の少なくとも一部に形成した構成とする。
上記構成によれば、ダイヤモンド上部のテーブルやクラウンから入射する光を反射層が内部側で反射させることにより、パビリオンから光が外に逃げるのを防ぐことができる。
【００１０】
好ましくは、上記反射層を上記パビリオンの表面の全部に形成した構成とする。
上記構成によれば、テーブルやクラウンから入射する光をパビリオンにおいて逃すことなく反射させることができ、より有効にパビリオンから光が外に逃げるのを防ぐことができる。
【００１１】
好ましくは、上記反射層は、その原料に銀を含む構成とする。
上記構成によれば、テーブルやクラウンから入射する光に対するパビリオンでの反射率を有効に高めることができる。
【００１２】
上記課題を解決するために、本発明の第１のダイヤモンドの加工方法は、カットにより少なくともテーブル及びパビリオンからなるダイヤモンドを形成した後、上記パビリオンの表面の少なくとも一部に、入射する光を内部で反射させる反射層を形成するようにする。
【００１３】
上記構成によれば、パビリオンの表面に反射層を形成するという簡単な作業により、反射層がダイヤモンド上部のテーブルやクラウンから入射する光を内部側で反射させ、パビリオンから光が外に逃げるのを防ぐことができる。
【００１４】
好ましくは、上記反射層を上記パビリオンの表面の全部に形成するようにする。
上記課題を解決するために、本発明の第２のダイヤモンドの加工方法は、カットによりパビリオンのみを形成した半加工状態のダイヤモンドの全体に亘って、入射する光を内部で反射させる反射層を形成した後、上記パビリオン以外の部分を所望の形状にカットするようにする。
【００１５】
上記構成によれば、既にクラウン、テーブル、パビリオン等をカットにより形成したダイヤモンドにおいて、パビリオンのみに反射層を形成するという作業を要することなく、全体に反射層を形成した半加工状態のダイヤモンドをカットしてテーブル等を形成するという簡単な作業で、パビリオンのみに反射層を形成することができる。
【００１６】
好ましくは、上記反射層は、その原料に銀を含むようにする。
【発明の効果】
【００１７】
本発明のダイヤモンドは、入射する光を内部側で反射させる反射層をパビリオンの表面の少なくとも一部に形成してなる。そのため、ダイヤモンド上部のテーブルやクラウンから入射する光を反射層が内部側で反射させることにより、パビリオンから光が外に逃げるのを防ぐことができる。よって、本発明のダイヤモンドによれば、ダイヤモンドのカット量を少なくしつつ、パビリオンの反射率を格段に高めることができる。
【００１８】
本発明の第１のダイヤモンドの加工方法は、カットにより少なくともテーブル及びパビリオンからなるダイヤモンドを形成した後、上記パビリオンの表面の少なくとも一部に、入射する光を内部で反射させる反射層を形成する。そのため、パビリオンの表面に反射層を形成するという簡単な作業により、反射層がダイヤモンド上部のテーブルやクラウンから入射する光を内部側で反射させ、パビリオンから光が外に逃げるのを防ぐことができる。よって、本発明の第１のダイヤモンドの加工方法によれば、ダイヤモンドのカット量を少なくしつつ、簡単な作業でパビリオンの反射率を格段に高めることができる。
【００１９】
本発明の第２のダイヤモンドの加工方法は、カットによりパビリオンのみを形成した半加工状態のダイヤモンドの全体に亘って、入射する光を内部で反射させる反射層を形成した後、パビリオン以外の部分を所望の形状にカットするようにする。これにより、既にクラウン、テーブル、パビリオン等をカットにより形成したダイヤモンドにおいてパビリオンのみに反射層を形成するという作業を要することなく、半加工状態のダイヤモンドをカットしてテーブル等を形成するという簡単な作業で、パビリオンのみに反射層を形成することができる。よって、本発明の第２のダイヤモンドの加工方法によれば、ダイヤモンドのカット量を少なくしつつ、より簡単な作業でパビリオンの反射率を格段に高めることができる。
【発明を実施するための最良の形態】
【００２０】
以下、本発明の実施の形態に係るダイヤモンド及びその加工方法について、図面を参照しながら説明する。
図１は、本発明の一実施の形態に係るダイヤモンドを示す側面図である。同図に示すダイヤモンド１は、上面のテーブル２、そこからガードル３に向かって斜め下方に広がるクラウン４、底部となるパビリオン５からなっている。ここで、パビリオン５の表面には、例えば銀及び銅からなる反射層５ａが形成されている。なお、反射層５ａは、パビリオン５の反射率を高めればよいため、銀及び銅に限定されず、超硬合金等を用いてもよい。
【００２１】
ここで、本実施の形態に係るダイヤモンドの加工方法について、図２を用いて説明する。
まず、図２（ａ）に示すダイヤモンドの原石６から、図２（ｂ）に示すようにパビリオン５を所望の形状にカットして半加工状態のダイヤモンド７を形成する。そして、この半加工状態のダイヤモンド７に付着した塵埃を除去するため、例えば洗剤により全体を洗浄し、還元剤として例えば塩化錫を塗布した後、さらに純水で洗浄する。
【００２２】
次に、図２（ｃ）に示すような鏡面の反射層７ａを形成するため、例えば銀の溶液とその還元液をダイヤモンド７全体に吹きかけ、薄い銀膜を形成する。そして、この銀膜の上に、さらに銅の溶液とその還元液を吹きかけ、薄い銅膜を形成させる。その後、再度純水により洗浄し、熱風等により乾燥させる。そして、鏡面の反射層７ａの裏面処理として、裏止め塗装をして乾燥させる。ここで、反射層７ａの厚さは、所望の反射率が得られる範囲で適宜設定されればよい。
【００２３】
その後、図１に示すダイヤモンド１のように、テーブル２、ガードル３及びクラウン４を所望の形状にカット又は研磨し、パビリオン５を除く部分に形成された反射層を除去する。このようにして、ダイヤモンド１の底部となるパビリオン５のみに略１００％の反射率を有する反射層５ａが形成される。
【００２４】
なお、本実施の形態では、ダイヤモンド１を原石から加工する場合について説明したが、ダイヤモンドは人工のものであってもよい。また、上述のように、パビリオン５における反射率は略１００％となるため、図１に示すダイヤモンド１のようにテーブル２、ガードル３及びクラウン４を有する形状にカットする必要はなく、重さ（カラット）を減らすことなくダイヤモンドを加工するとよい。更には、パビリオン５における反射層５ａは、必ずしもパビリオン５の全体に形成されている必要はなく、パビリオン５の一部のみに形成されていてもよい。更にまた、上記実施の形態では、パビリオン５のみを形成した半加工状態のダイヤモンド７の全体に反射層７ａを形成する例を説明したが、カットを完成させた後のダイヤモンド１のパビリオン５に反射層５ａを形成してもよい。
【００２５】
本実施の形態のダイヤモンド１では、入射する光を内部側で反射させる反射層５ａをパビリオン５の表面の少なくとも一部に形成してなる。そのため、ダイヤモンド１上部のテーブル２やクラウン４から入射する光を内部側で反射させることにより、パビリオン５から光が外に逃げるのを防ぐことができる。よって、本実施の形態のダイヤモンド１によれば、ダイヤモンド１のカット量を少なくしつつ、パビリオンの反射率を格段に高めることができる。
【００２６】
また、本実施の形態のダイヤモンドの加工方法は、カットによりパビリオン５のみを形成した半加工状態のダイヤモンド７の全体に亘って、入射する光を内部で反射させる反射層７ａを形成した後、パビリオン５以外の部分を所望の形状にカットするようにする。これにより、既にテーブル２、クラウン４、パビリオン５等をカットにより形成したダイヤモンド１においてパビリオン５のみに反射層を形成するという作業を要することなく、半加工状態のダイヤモンド７をカットしてテーブル２等を形成するという簡単な作業で、パビリオン５のみに反射層５ａを形成することができる。よって、本実施の形態のダイヤモンドの加工方法によれば、ダイヤモンド１のカット量を少なくしつつ、より簡単な作業でパビリオン５の反射率を格段に高めることができる。
【００２７】
更に、本実施の形態によれば、反射層が原料に銀を含むため、テーブル２やクラウン４から入射する光に対するパビリオン５の反射率を略１００％に近づけることができる。
なお、ダイヤモンド１の加工方法は、カットにより少なくともテーブル２及びパビリオン５からなるダイヤモンド１を形成した後、パビリオン５の表面の少なくとも一部に、入射する光を内部で反射させる反射層５ａを形成してもよい。このようにすることで、パビリオンの表面に反射層を形成するという簡単な作業により、反射層５ａがダイヤモンド１上部のテーブル２やクラウン４から入射する光を内部側で反射させ、パビリオン５から光が外に逃げるのを防ぐことができる。よって、ダイヤモンド１のカット量を少なくしつつ、簡単な作業でパビリオン５の反射率を格段に高めることができる。
【図面の簡単な説明】
【００２８】
【図１】本発明の一実施の形態に係るダイヤモンドを示す側面図である。
【図２】上記ダイヤモンドの加工方法を示す説明図である。
【図３】ダイヤモンドのカットの理想例を示す側面図である。
【図４】ダイヤモンドに入射する光を示す模式図である。
【符号の説明】
【００２９】
１      ダイヤモンド
２      テーブル
３      ガードル
４      クラウン
５      パビリオン
５ａ      反射層
６      ダイヤモンドの原石
７      半加工状態のダイヤモンド
７ａ      反射層
【図３】
2007296194.tif 000003
【図４】
2007296194.tif 000004
【図１】
2007296194.tif 000005
【図２】
2007296194.tif 000006